(57)【要約】【課題】本発明は調節可能な自動缶切りを開示した。【解決手段】支持装置を含み、前記支持装置は支持ブロックを含み、前記支持ブロックの中には動力チャンバが設置され、前記動力チャンバの中には動力装置が設置され、前記動力装置は下モータを含み、前記支持ブロックの中には固定装置が設置され、前記固定装置の中には定位機構と挟み機構とを含み、前記支持ブロックの中には右スライド溝が設置され、前記右スライド溝の中には下がり装置が設置され、前記下がり装置と前記動力装置とが伝動できるように連結される。【選択図】図１
2020179934.tif 000002
【特許請求の範囲】
【請求項１】
正面視で、支持装置を含み、前記支持装置は支持ブロックを含み、前記支持ブロックの中には動力チャンバが設置され、前記動力チャンバの中には動力装置が設置され、前記動力装置は下モータを含み、前記支持ブロックの中には固定装置が設置され、前記固定装置の中には定位機構と挟み機構とを含み、前記支持ブロックの中には右スライド溝が設置され、前記右スライド溝の中には下がり装置が設置され、前記下がり装置と前記動力装置とが伝動できるように連結され、前記下がり装置は固定板を含み、前記固定板の中には蓋開け装置が設置され、前記蓋開け装置は回転機構と蓋挟み装置とを含み、
前記固定装置は前記定位機構と前記挟み機構とを含み、前記定位機構は前記支持ブロックの中に設置され、且つ上方に開口した置き溝を含み、前記置き溝の底壁の中には上方に開口した下ばねチャンバが設置され、前記下ばねチャンバの中には下定位ロッドがスライドできるように設置され、前記下定位ロッドの下端面と前記下ばねチャンバの底壁との間が下ばねにより連結され、前記支持ブロックの中には前記置き溝の下側に位置している糸巻きチャンバが設置され、前記下定位ロッドの下端面には下に前記糸巻きチャンバの中まで伸びている下定位軸が回転できるように設置され、
前記挟み機構は前記支持ブロックの中に設置され、且つ上方に開口した四組の下スライド溝を含み、前記下スライド溝が前記動力チャンバと連通しており、前記下スライド溝の中にはスライドロッドがスライドできるように設置され、前記スライドロッドが上に前記支持ブロックの上側まで伸びており、前記支持ブロックの上側には前記スライドロッドに固定的に連結される連結ロッドが設置され、前記連結ロッドの一端には固定ブロックが固定的に設置され、前記スライドロッドの下端には引き糸が固定的に設置され、前記糸巻きチャンバの底壁にはリールが回転できるように設置され、前記リールと前記下定位軸とがスプラインにより連結され、前記引き糸が前記糸巻きチャンバの中に伸びて前記リールに巻き付くことを特徴とする調節可能な自動缶切り。
【請求項２】
前記蓋開け装置は前記固定板の中に回転できるように設置される回転ブロックを含み、前記回転機構は前記支持ブロックの左端面に固定的に設置されるモータ固定板を含み、前記モータ固定板の下端面には上モータが固定的に設置され、前記上モータの下端にはスプラインスリーブが伝動できるように連結され、前記スプラインスリーブの中にはスプライン軸がスプラインにより連結され、前記スプライン軸の下端と前記回転ブロックの上端面とが回転できるように連結され、前記スプライン軸の下端面の中には下方に開口した上摩擦穴が設置され、前記上摩擦穴の頂壁には前記上モータと通電できるように連結されるスイッチが固定的に設置され、
前記蓋挟み装置は前記回転ブロックの中に設置される上ばねチャンバを含み、前記上ばねチャンバと前記上摩擦穴とが連通しており、前記上ばねチャンバの中には上復帰スライドブロックがスライドできるように設置され、前記上復帰スライドブロックの中には上定位軸が回転できるように設置され、前記上復帰スライドブロックの上端面と前記上ばねチャンバの頂壁との間が上ばねにより固定的に連結され、前記回転ブロックの中には傘歯車チャンバが設置され、前記傘歯車チャンバの頂壁には中空回転軸によりメイン傘歯車が回転できるように設置され、前記上定位軸が前記メイン傘歯車を貫通し前記上定位軸とスプラインにより連結され、前記上定位軸の下端が前記回転ブロックの下側まで伸びており、かつ前記上定位軸の下端には上定位ブロックが回転できるように設置され、前記回転ブロックの中には左右に対称的な上スライド溝が設置され、前記上スライド溝のうち互いに離れている側の内壁には前記傘歯車チャンバの中に伸びているネジ山ロッドが回転できるように設置され、前記ネジ山ロッドが前記傘歯車チャンバの中に位置しており、前記ネジ山ロッドの一端には前記メイン傘歯車と噛合しているサブ傘歯車が固定的に設置され、前記上スライド溝の中には前記ネジ山ロッドとネジ山により連結される上スライドブロックがスライドできるように設置され、前記上スライドブロックの下端面には抱きしめブロックが固定的に設置されることを特徴とする請求項１に記載の調節可能な自動缶切り。
【請求項３】
前記動力装置は前記支持ブロックの中に設置される動力チャンバを含み、前記動力チャンバの底壁には前記下モータが固定的に設置され、前記下モータの上端には動力軸が伝動できるように連結され、前記動力軸にはメインプーリーが固定的に設置され、前記動力軸の上端には伝動盤が固定的に設置され、前記伝動盤の中には上方に開口した下摩擦穴が設置され、前記支持ブロックの中にはプーリーチャンバが設置され、前記プーリーチャンバの底壁にはプーリー軸が回転できるように設置され、前記プーリー軸の上端にはサブプーリーが固定的に設置され、前記サブプーリーと前記メインプーリーとの間がベルトにより連結される。
前記下がり装置は前記サブプーリーと摩擦により連結される親ねじを含み、前記親ねじの上端が前記右スライド溝の中に伸びており、且つ前記右スライド溝の頂壁と回転できるように連結され、前記右スライド溝の中には右スライドブロックがスライドできるように設置され、前記右スライドブロックと前記親ねじとがネジ山により連結され、前記右スライドブロックの左端面には前記固定板が固定的に設置されることを特徴とする請求項１に記載の調節可能な自動缶切り。
【発明の詳細な説明】
【技術分野】
【０００１】
本発明は機械技術分野を取り上げて、具体的には調節可能な自動缶切りである。
【背景技術】
【０００２】
密封環境が必要となるため、缶詰の蓋が比較的に丈夫であり、開けることが難しく、伝統的な缶切りは手動で操作する必要があり、学ぶことに時間がかかり、また自動化を実現することが難しく、上記問題に対し、本装置を提出した。
【先行技術文献】
【特許文献】
【０００３】
【特許文献１】中国特許出願公開第１３１９０７２号明細書
【発明の概要】
【発明が解決しようとする課題】
【０００４】
本発明の目的は調節可能な自動缶切りを提供し、それは上記の現在の技術中の問題を解決できる。
【課題を解決するための手段】
【０００５】
本発明装置の調節可能な自動缶切りは、支持装置を含み、前記支持装置は支持ブロックを含み、前記支持ブロックの中には動力チャンバが設置され、前記動力チャンバの中には動力装置が設置され、前記動力装置は下モータを含み、前記支持ブロックの中には固定装置が設置され、前記固定装置の中には定位機構と挟み機構とを含み、前記支持ブロックの中には右スライド溝が設置され、前記右スライド溝の中には下がり装置が設置され、前記下がり装置と前記動力装置とが伝動できるように連結され、前記下がり装置は固定板を含み、前記固定板の中には蓋開け装置が設置され、前記蓋開け装置は回転機構と蓋挟み装置とを含む。
【０００６】
前記固定装置は前記定位機構と前記挟み機構とを含み、前記定位機構は前記支持ブロックの中に設置され、且つ上方に開口した置き溝を含み、前記置き溝の底壁の中には上方に開口した下ばねチャンバが設置され、前記下ばねチャンバの中には下定位ロッドがスライドできるように設置され、前記下定位ロッドの下端面と前記下ばねチャンバの底壁との間が下ばねにより連結され、前記支持ブロックの中には前記置き溝の下側に位置している糸巻きチャンバが設置され、前記下定位ロッドの下端面には下に前記糸巻きチャンバの中まで伸びている下定位軸が回転できるように設置される。
【０００７】
前記挟み機構は前記支持ブロックの中に設置され、且つ上方に開口した四組の下スライド溝を含み、前記下スライド溝が前記動力チャンバと連通しており、前記下スライド溝の中にはスライドロッドがスライドできるように設置され、前記スライドロッドが上に前記支持ブロックの上側まで伸びており、前記支持ブロックの上側には前記スライドロッドに固定的に連結される連結ロッドが設置され、前記連結ロッドの一端には固定ブロックが固定的に設置され、前記スライドロッドの下端には引き糸が固定的に設置され、前記糸巻きチャンバの底壁にはリールが回転できるように設置され、前記リールと前記下定位軸とがスプラインにより連結され、前記引き糸が前記糸巻きチャンバの中に伸びて前記リールに巻き付く。
【０００８】
優選的には、前記蓋開け装置は前記固定板の中に回転できるように設置される回転ブロックを含み、前記回転機構は前記支持ブロックの左端面に固定的に設置されるモータ固定板を含み、前記モータ固定板の下端面には上モータが固定的に設置され、前記上モータの下端にはスプラインスリーブが伝動できるように連結され、前記スプラインスリーブの中にはスプライン軸がスプラインにより連結され、前記スプライン軸の下端と前記回転ブロックの上端面とが回転できるように連結され、前記スプライン軸の下端面の中には下方に開口した上摩擦穴が設置され、前記上摩擦穴の頂壁には前記上モータと通電できるように連結されるスイッチが固定的に設置される。
【０００９】
前記蓋挟み装置は前記回転ブロックの中に設置される上ばねチャンバを含み、前記上ばねチャンバと前記上摩擦穴とが連通しており、前記上ばねチャンバの中には上復帰スライドブロックがスライドできるように設置され、前記上復帰スライドブロックの中には上定位軸が回転できるように設置され、前記上復帰スライドブロックの上端面と前記上ばねチャンバの頂壁との間が上ばねにより固定的に連結され、前記回転ブロックの中には傘歯車チャンバが設置され、前記傘歯車チャンバの頂壁には中空回転軸によりメイン傘歯車が回転できるように設置され、前記上定位軸が前記メイン傘歯車を貫通し前記上定位軸とスプラインにより連結され、前記上定位軸の下端が前記回転ブロックの下側まで伸びており、かつ前記上定位軸の下端には上定位ブロックが回転できるように設置され、前記回転ブロックの中には左右に対称的な上スライド溝が設置され、前記上スライド溝のうち互いに離れている側の内壁には前記傘歯車チャンバの中に伸びているネジ山ロッドが回転できるように設置され、前記ネジ山ロッドが前記傘歯車チャンバの中に位置しており、前記ネジ山ロッドの一端には前記メイン傘歯車と噛合しているサブ傘歯車が固定的に設置され、前記上スライド溝の中には前記ネジ山ロッドとネジ山により連結される上スライドブロックがスライドできるように設置され、前記上スライドブロックの下端面には抱きしめブロックが固定的に設置される。
【００１０】
優選的には、前記動力装置は前記支持ブロックの中に設置される動力チャンバを含み、前記動力チャンバの底壁には前記下モータが固定的に設置され、前記下モータの上端には動力軸が伝動できるように連結され、前記動力軸にはメインプーリーが固定的に設置され、前記動力軸の上端には伝動盤が固定的に設置され、前記伝動盤の中には上方に開口した下摩擦穴が設置され、前記支持ブロックの中にはプーリーチャンバが設置され、前記プーリーチャンバの底壁にはプーリー軸が回転できるように設置され、前記プーリー軸の上端にはサブプーリーが固定的に設置され、前記サブプーリーと前記メインプーリーとの間がベルトにより連結される。
【００１１】
前記下がり装置は前記サブプーリーと摩擦により連結される親ねじを含み、前記親ねじの上端が前記右スライド溝の中に伸びており、且つ前記右スライド溝の頂壁と回転できるように連結され、前記右スライド溝の中には右スライドブロックがスライドできるように設置され、前記右スライドブロックと前記親ねじとがネジ山により連結され、前記右スライドブロックの左端面には前記固定板が固定的に設置される。
【発明の効果】
【００１２】
以上により、本発明は構造が簡単で、使用が便利であり、使用するときに缶詰を本装置の指定な位置に置けば自動的に蓋を開けることができ、作業過程は全部自動的に完成し、缶詰の蓋がきつく開けられない状況を避け、同時に、本装置は異なる直径の缶詰に適し、使用範囲を大幅に高め、本装置は体積が小さく、様々な場合に適用する。
【図面の簡単な説明】
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の調節可能な自動缶切りの全体構造概略図
【図２】図２は図１のＡ―Ａの構造概略図
【図３】図３は図１のＢの構造概略図
【図４】図４は図１のＣの構造概略図
【発明を実施するための形態】
【００１５】
下記に図と実施例を合わせて本発明を更に説明し、本発明の方式は以下の実施例を含み、しかし、以下の実施例に限らない。
【００１６】
図１〜４に示すように、本発明装置の調節可能な自動缶切りは、支持装置１００を含み、前記支持装置１００は支持ブロック１０を含み、前記支持ブロック１０の中には動力チャンバ１２が設置され、前記動力チャンバ１２の中には動力装置２００が設置され、前記動力装置２００は下モータ４６を含み、前記支持ブロック１０の中には固定装置３００が設置され、前記固定装置３００の中には定位機構３０１と挟み機構３０２とを含み、前記支持ブロック１０の中には右スライド溝２２が設置され、前記右スライド溝２２の中には下がり装置４００が設置され、前記下がり装置４００と前記動力装置２００とが伝動できるように連結され、前記下がり装置４００は固定板２４を含み、前記固定板２４の中には蓋開け装置５００が設置され、前記蓋開け装置５００は回転機構５０１と蓋挟み装置５０２とを含む。
【００１７】
前記固定装置３００は前記定位機構３０１と前記挟み機構３０２とを含み、前記定位機構３０１は前記支持ブロック１０の中に設置され、且つ上方に開口した置き溝２９を含み、前記置き溝２９の底壁の中には上方に開口した下ばねチャンバ５１が設置され、前記下ばねチャンバ５１の中には下定位ロッド３０がスライドできるように設置され、前記下定位ロッド３０の下端面と前記下ばねチャンバ５１の底壁との間が下ばね５０により連結され、前記支持ブロック１０の中には前記置き溝２９の下側に位置している糸巻きチャンバ５５が設置され、前記下定位ロッド３０の下端面には下に前記糸巻きチャンバ５５の中まで伸びている下定位軸４８が回転できるように設置される。
【００１８】
前記挟み機構３０２は前記支持ブロック１０の中に設置され、且つ上方に開口した四組の下スライド溝２０を含み、前記下スライド溝２０が前記動力チャンバ１２と連通しており、前記下スライド溝２０の中にはスライドロッド１８がスライドできるように設置され、前記スライドロッド１８が上に前記支持ブロック１０の上側まで伸びており、前記支持ブロック１０の上側には前記スライドロッド１８に固定的に連結される連結ロッド１９が設置され、前記連結ロッド１９の一端には固定ブロック２１が固定的に設置され、前記スライドロッド１８の下端には引き糸１１が固定的に設置され、前記糸巻きチャンバ５５の底壁にはリール４９が回転できるように設置され、前記リール４９と前記下定位軸４８とがスプラインにより連結され、前記引き糸１１が前記糸巻きチャンバ５５の中に伸びて前記リール４９に巻き付く。
【００１９】
有益的には、前記蓋開け装置５００は前記固定板２４の中に回転できるように設置される回転ブロック３１を含み、前記回転機構５０１は前記支持ブロック１０の左端面に固定的に設置されるモータ固定板２８を含み、前記モータ固定板２８の下端面には上モータ２７が固定的に設置され、前記上モータ２７の下端にはスプラインスリーブ２６が伝動できるように連結され、前記スプラインスリーブ２６の中にはスプライン軸２５がスプラインにより連結され、前記スプライン軸２５の下端と前記回転ブロック３１の上端面とが回転できるように連結され、前記スプライン軸２５の下端面の中には下方に開口した上摩擦穴３３が設置され、前記上摩擦穴３３の頂壁には前記上モータ２７と通電できるように連結されるスイッチ３２が固定的に設置される。
【００２０】
前記蓋挟み装置５０２は前記回転ブロック３１の中に設置される上ばねチャンバ３４を含み、前記上ばねチャンバ３４と前記上摩擦穴３３とが連通しており、前記上ばねチャンバ３４の中には上復帰スライドブロック３６がスライドできるように設置され、前記上復帰スライドブロック３６の中には上定位軸４０が回転できるように設置され、前記上復帰スライドブロック３６の上端面と前記上ばねチャンバ３４の頂壁との間が上ばね３５により固定的に連結され、前記回転ブロック３１の中には傘歯車チャンバ３８が設置され、前記傘歯車チャンバ３８の頂壁には中空回転軸によりメイン傘歯車４１が回転できるように設置され、前記上定位軸４０が前記メイン傘歯車４１を貫通し前記上定位軸４０とスプラインにより連結され、前記上定位軸４０の下端が前記回転ブロック３１の下側まで伸びており、かつ前記上定位軸４０の下端には上定位ブロック３９が回転できるように設置され、前記回転ブロック３１の中には左右に対称的な上スライド溝４４が設置され、前記上スライド溝４４のうち互いに離れている側の内壁には前記傘歯車チャンバ３８の中に伸びているネジ山ロッド４２が回転できるように設置され、前記ネジ山ロッド４２が前記傘歯車チャンバ３８の中に位置しており、前記ネジ山ロッド４２の一端には前記メイン傘歯車４１と噛合しているサブ傘歯車３７が固定的に設置され、前記上スライド溝４４の中には前記ネジ山ロッド４２とネジ山により連結される上スライドブロック４５がスライドできるように設置され、前記上スライドブロック４５の下端面には抱きしめブロック４３が固定的に設置される。
【００２１】
有益的には、前記動力装置２００は前記支持ブロック１０の中に設置される動力チャンバ１２を含み、前記動力チャンバ１２の底壁には前記下モータ４６が固定的に設置され、前記下モータ４６の上端には動力軸５４が伝動できるように連結され、前記動力軸５４にはメインプーリー４７が固定的に設置され、前記動力軸５４の上端には伝動盤５２が固定的に設置され、前記伝動盤５２の中には上方に開口した下摩擦穴５３が設置され、前記支持ブロック１０の中にはプーリーチャンバ１６が設置され、前記プーリーチャンバ１６の底壁にはプーリー軸１５が回転できるように設置され、前記プーリー軸１５の上端にはサブプーリー１４が固定的に設置され、前記サブプーリー１４と前記メインプーリー４７との間がベルト１３により連結される。
【００２２】
前記下がり装置４００は前記サブプーリー１４と摩擦により連結される親ねじ１７を含み、前記親ねじ１７の上端が前記右スライド溝２２の中に伸びており、且つ前記右スライド溝２２の頂壁と回転できるように連結され、前記右スライド溝２２の中には右スライドブロック２３がスライドできるように設置され、前記右スライドブロック２３と前記親ねじ１７とがネジ山により連結され、前記右スライドブロック２３の左端面には前記固定板２４が固定的に設置される。
【００２３】
前記調節可能な自動缶切りの実現方法は、以下のステップを含む：
【００２４】
使用するときに、開ける必要がある缶詰を置き溝２９の中に置き、下定位ロッド３０を下に押し、下定位軸４８が下がり下摩擦穴５３と摩擦するように連結され、下モータ４６が始動し、動力軸５４により伝動盤５２と、下定位軸４８によりリール４９を回転連動させ、リール４９が引き糸１１によりスライドロッド１８を引き互いに近づかせ、動力軸５４がメインプーリー４７と、ベルト１３によりサブプーリー１４を回転連動させ、それにより親ねじ１７を回転連動させて右スライドブロック２３を下がらせ、右スライドブロック２３が固定板２４により回転ブロック３１を下がらせ、上定位ブロック３９と缶詰蓋とが当接するときに上に運動し、上定位軸４０と上摩擦穴３３とが摩擦するように連結され、上定位軸４０がスイッチ３２を押圧し上モータ２７を始動しスプラインスリーブ２６と、スプライン軸２５と、上定位軸４０によりメイン傘歯車４１を回転連動させ、メイン傘歯車４１がサブ傘歯車３７によりネジ山ロッド４２を回転連動させ、上スライドブロック４５を互いに近づかせることにより抱きしめブロック４３に缶詰蓋をきつく挟ませ、このとき抱きしめブロック４３が運動できなく、それによりスプライン軸２５に回転ブロック３１を回転連動させ、缶詰蓋をねじって開け、このとき下モータ４６が始動して反転し瓶本体を放し、上モータ２７が始動して反転し蓋開け装置５００を復帰させる。
【００２５】
以上により、本発明は構造が簡単で、使用が便利であり、使用するときに缶詰を本装置の指定な位置に置けば自動的に蓋を開けることができ、作業過程は全部自動的に完成し、缶詰の蓋がきつく開けられない状況を避け、同時に、本装置は異なる直径の缶詰に適し、使用範囲を大幅に高め、本装置は体積が小さく、様々な場合に適用する。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179934.tif 000003
【図２】
2020179934.tif 000004
【図３】
2020179934.tif 000005
【図４】
2020179934.tif 000006
【手続補正書】
【提出日】令和1年8月22日(2019.8.22)
【手続補正１】
【補正対象書類名】特許請求の範囲
【補正対象項目名】請求項３
【補正方法】変更
【補正の内容】
【請求項３】
前記動力装置は前記支持ブロックの中に設置される動力チャンバを含み、前記動力チャンバの底壁には前記下モータが固定的に設置され、前記下モータの上端には動力軸が伝動できるように連結され、前記動力軸にはメインプーリーが固定的に設置され、前記動力軸の上端には伝動盤が固定的に設置され、前記伝動盤の中には上方に開口した下摩擦穴が設置され、前記支持ブロックの中にはプーリーチャンバが設置され、前記プーリーチャンバの底壁にはプーリー軸が回転できるように設置され、前記プーリー軸の上端にはサブプーリーが固定的に設置され、前記サブプーリーと前記メインプーリーとの間がベルトにより連結されており、
前記下がり装置は前記サブプーリーと摩擦により連結される親ねじを含み、前記親ねじの上端が前記右スライド溝の中に伸びており、且つ前記右スライド溝の頂壁と回転できるように連結され、前記右スライド溝の中には右スライドブロックがスライドできるように設置され、前記右スライドブロックと前記親ねじとがネジ山により連結され、前記右スライドブロックの左端面には前記固定板が固定的に設置されることを特徴とする請求項１に記載の調節可能な自動缶切り。
【手続補正書】
【提出日】令和1年8月24日(2019.8.24)
【手続補正１】
【補正対象書類名】特許請求の範囲
【補正対象項目名】請求項３
【補正方法】変更
【補正の内容】
【請求項３】
前記動力装置は前記支持ブロックの中に設置される動力チャンバを含み、前記動力チャンバの底壁には前記下モータが固定的に設置され、前記下モータの上端には動力軸が伝動できるように連結され、前記動力軸にはメインプーリーが固定的に設置され、前記動力軸の上端には伝動盤が固定的に設置され、前記伝動盤の中には上方に開口した下摩擦穴が設置され、前記支持ブロックの中にはプーリーチャンバが設置され、前記プーリーチャンバの底壁にはプーリー軸が回転できるように設置され、前記プーリー軸の上端にはサブプーリーが固定的に設置され、前記サブプーリーと前記メインプーリーとの間がベルトにより連結されており、
前記下がり装置は前記サブプーリーと摩擦により連結される親ねじを含み、前記親ねじの上端が前記右スライド溝の中に伸びており、且つ前記右スライド溝の頂壁と回転できるように連結され、前記右スライド溝の中には右スライドブロックがスライドできるように設置され、前記右スライドブロックと前記親ねじとがネジ山により連結され、前記右スライドブロックの左端面には前記固定板が固定的に設置されることを特徴とする請求項１に記載の調節可能な自動缶切り。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
正面視で、支持装置を含み、前記支持装置は支持ブロックを含み、前記支持ブロックの中には動力チャンバが設置され、前記動力チャンバの中には動力装置が設置され、前記動力装置は下モータを含み、前記支持ブロックの中には固定装置が設置され、前記固定装置の中には定位機構と挟み機構とを含み、前記支持ブロックの中には右スライド溝が設置され、前記右スライド溝の中には下がり装置が設置され、前記下がり装置と前記動力装置とが伝動できるように連結され、前記下がり装置は固定板を含み、前記固定板の中には蓋開け装置が設置され、前記蓋開け装置は回転機構と蓋挟み装置とを含み、前記固定装置は前記定位機構と前記挟み機構とを含み、前記定位機構は前記支持ブロックの中に設置され、且つ上方に開口した置き溝を含み、前記置き溝の底壁の中には上方に開口した下ばねチャンバが設置され、前記下ばねチャンバの中には下定位ロッドがスライドできるように設置され、前記下定位ロッドの下端面と前記下ばねチャンバの底壁との間が下ばねにより連結され、前記支持ブロックの中には前記置き溝の下側に位置している糸巻きチャンバが設置され、前記下定位ロッドの下端面には下に前記糸巻きチャンバの中まで伸びている下定位軸が回転できるように設置され、前記挟み機構は前記支持ブロックの中に設置され、且つ上方に開口した四組の下スライド溝を含み、前記下スライド溝が前記動力チャンバと連通しており、前記下スライド溝の中にはスライドロッドがスライドできるように設置され、前記スライドロッドが上に前記支持ブロックの上側まで伸びており、前記支持ブロックの上側には前記スライドロッドに固定的に連結される連結ロッドが設置され、前記連結ロッドの一端には固定ブロックが固定的に設置され、前記スライドロッドの下端には引き糸が固定的に設置され、前記糸巻きチャンバの底壁にはリールが回転できるように設置され、前記リールと前記下定位軸とがスプラインにより連結され、前記引き糸が前記糸巻きチャンバの中に伸びて前記リールに巻き付くことを特徴とする調節可能な自動蓋開け。
【請求項２】
前記蓋開け装置は前記固定板の中に回転できるように設置される回転ブロックを含み、前記回転機構は前記支持ブロックの左端面に固定的に設置されるモータ固定板を含み、前記モータ固定板の下端面には上モータが固定的に設置され、前記上モータの下端にはスプラインスリーブが伝動できるように連結され、前記スプラインスリーブの中にはスプライン軸がスプラインにより連結され、前記スプライン軸の下端と前記回転ブロックの上端面とが回転できるように連結され、前記スプライン軸の下端面の中には下方に開口した上摩擦穴が設置され、前記上摩擦穴の頂壁には前記上モータと通電できるように連結されるスイッチが固定的に設置され、
前記蓋挟み装置は前記回転ブロックの中に設置される上ばねチャンバを含み、前記上ばねチャンバと前記上摩擦穴とが連通しており、前記上ばねチャンバの中には上復帰スライドブロックがスライドできるように設置され、前記上復帰スライドブロックの中には上定位軸が回転できるように設置され、前記上復帰スライドブロックの上端面と前記上ばねチャンバの頂壁との間が上ばねにより固定的に連結され、前記回転ブロックの中には傘歯車チャンバが設置され、前記傘歯車チャンバの頂壁には中空回転軸によりメイン傘歯車が回転できるように設置され、前記上定位軸が前記メイン傘歯車を貫通し前記上定位軸とスプラインにより連結され、前記上定位軸の下端が前記回転ブロックの下側まで伸びており、かつ前記上定位軸の下端には上定位ブロックが回転できるように設置され、前記回転ブロックの中には左右に対称的な上スライド溝が設置され、前記上スライド溝のうち互いに離れている側の内壁には前記傘歯車チャンバの中に伸びているネジ山ロッドが回転できるように設置され、前記ネジ山ロッドが前記傘歯車チャンバの中に位置しており、前記ネジ山ロッドの一端には前記メイン傘歯車と噛合しているサブ傘歯車が固定的に設置され、前記上スライド溝の中には前記ネジ山ロッドとネジ山により連結される上スライドブロックがスライドできるように設置され、前記上スライドブロックの下端面には抱きしめブロックが固定的に設置されることを特徴とする請求項１に記載の調節可能な自動蓋開け。
【請求項３】
前記動力装置は前記支持ブロックの中に設置される動力チャンバを含み、前記動力チャンバの底壁には前記下モータが固定的に設置され、前記下モータの上端には動力軸が伝動できるように連結され、前記動力軸にはメインプーリーが固定的に設置され、前記動力軸の上端には伝動盤が固定的に設置され、前記伝動盤の中には上方に開口した下摩擦穴が設置され、前記支持ブロックの中にはプーリーチャンバが設置され、前記プーリーチャンバの底壁にはプーリー軸が回転できるように設置され、前記プーリー軸の上端にはサブプーリーが固定的に設置され、前記サブプーリーと前記メインプーリーとの間がベルトにより連結されており、
前記下がり装置は前記サブプーリーと摩擦により連結される親ねじを含み、前記親ねじの上端が前記右スライド溝の中に伸びており、且つ前記右スライド溝の頂壁と回転できるように連結され、前記右スライド溝の中には右スライドブロックがスライドできるように設置され、前記右スライドブロックと前記親ねじとがネジ山により連結され、前記右スライドブロックの左端面には前記固定板が固定的に設置されることを特徴とする請求項１に記載の調節可能な自動蓋開け。 
【手続補正２】
【補正対象書類名】明細書
【補正対象項目名】全文
【補正方法】変更
【補正の内容】
【発明の詳細な説明】
【技術分野】
【０００１】
本発明は機械技術分野を取り上げて、具体的には調節可能な自動蓋開けである。
【背景技術】
【０００２】
密封環境が必要となるため、缶詰の蓋が比較的に丈夫であり、開けることが難しく、伝統的な缶切りは手動で操作する必要があり、学ぶことに時間がかかり、また自動化を実現することが難しく、上記問題に対し、本装置を提出した。
【先行技術文献】
【特許文献】
【０００３】
【特許文献１】中国特許出願公開第１３１９０７２号明細書
【発明の概要】
【発明が解決しようとする課題】
【０００４】
本発明の目的は調節可能な自動蓋開けを提供し、それは上記の現在の技術中の問題を解決できる。
【課題を解決するための手段】
【０００５】
本発明装置の調節可能な自動蓋開けは、支持装置を含み、前記支持装置は支持ブロックを含み、前記支持ブロックの中には動力チャンバが設置され、前記動力チャンバの中には動力装置が設置され、前記動力装置は下モータを含み、前記支持ブロックの中には固定装置が設置され、前記固定装置の中には定位機構と挟み機構とを含み、前記支持ブロックの中には右スライド溝が設置され、前記右スライド溝の中には下がり装置が設置され、前記下がり装置と前記動力装置とが伝動できるように連結され、前記下がり装置は固定板を含み、前記固定板の中には蓋開け装置が設置され、前記蓋開け装置は回転機構と蓋挟み装置とを含む。
【０００６】
前記固定装置は前記定位機構と前記挟み機構とを含み、前記定位機構は前記支持ブロックの中に設置され、且つ上方に開口した置き溝を含み、前記置き溝の底壁の中には上方に開口した下ばねチャンバが設置され、前記下ばねチャンバの中には下定位ロッドがスライドできるように設置され、前記下定位ロッドの下端面と前記下ばねチャンバの底壁との間が下ばねにより連結され、前記支持ブロックの中には前記置き溝の下側に位置している糸巻きチャンバが設置され、前記下定位ロッドの下端面には下に前記糸巻きチャンバの中まで伸びている下定位軸が回転できるように設置される。
【０００７】
前記挟み機構は前記支持ブロックの中に設置され、且つ上方に開口した四組の下スライド溝を含み、前記下スライド溝が前記動力チャンバと連通しており、前記下スライド溝の中にはスライドロッドがスライドできるように設置され、前記スライドロッドが上に前記支持ブロックの上側まで伸びており、前記支持ブロックの上側には前記スライドロッドに固定的に連結される連結ロッドが設置され、前記連結ロッドの一端には固定ブロックが固定的に設置され、前記スライドロッドの下端には引き糸が固定的に設置され、前記糸巻きチャンバの底壁にはリールが回転できるように設置され、前記リールと前記下定位軸とがスプラインにより連結され、前記引き糸が前記糸巻きチャンバの中に伸びて前記リールに巻き付く。
【０００８】
優選的には、前記蓋開け装置は前記固定板の中に回転できるように設置される回転ブロックを含み、前記回転機構は前記支持ブロックの左端面に固定的に設置されるモータ固定板を含み、前記モータ固定板の下端面には上モータが固定的に設置され、前記上モータの下端にはスプラインスリーブが伝動できるように連結され、前記スプラインスリーブの中にはスプライン軸がスプラインにより連結され、前記スプライン軸の下端と前記回転ブロックの上端面とが回転できるように連結され、前記スプライン軸の下端面の中には下方に開口した上摩擦穴が設置され、前記上摩擦穴の頂壁には前記上モータと通電できるように連結されるスイッチが固定的に設置される。
【０００９】
前記蓋挟み装置は前記回転ブロックの中に設置される上ばねチャンバを含み、前記上ばねチャンバと前記上摩擦穴とが連通しており、前記上ばねチャンバの中には上復帰スライドブロックがスライドできるように設置され、前記上復帰スライドブロックの中には上定位軸が回転できるように設置され、前記上復帰スライドブロックの上端面と前記上ばねチャンバの頂壁との間が上ばねにより固定的に連結され、前記回転ブロックの中には傘歯車チャンバが設置され、前記傘歯車チャンバの頂壁には中空回転軸によりメイン傘歯車が回転できるように設置され、前記上定位軸が前記メイン傘歯車を貫通し前記上定位軸とスプラインにより連結され、前記上定位軸の下端が前記回転ブロックの下側まで伸びており、かつ前記上定位軸の下端には上定位ブロックが回転できるように設置され、前記回転ブロックの中には左右に対称的な上スライド溝が設置され、前記上スライド溝のうち互いに離れている側の内壁には前記傘歯車チャンバの中に伸びているネジ山ロッドが回転できるように設置され、前記ネジ山ロッドが前記傘歯車チャンバの中に位置しており、前記ネジ山ロッドの一端には前記メイン傘歯車と噛合しているサブ傘歯車が固定的に設置され、前記上スライド溝の中には前記ネジ山ロッドとネジ山により連結される上スライドブロックがスライドできるように設置され、前記上スライドブロックの下端面には抱きしめブロックが固定的に設置される。
【００１０】
優選的には、前記動力装置は前記支持ブロックの中に設置される動力チャンバを含み、前記動力チャンバの底壁には前記下モータが固定的に設置され、前記下モータの上端には動力軸が伝動できるように連結され、前記動力軸にはメインプーリーが固定的に設置され、前記動力軸の上端には伝動盤が固定的に設置され、前記伝動盤の中には上方に開口した下摩擦穴が設置され、前記支持ブロックの中にはプーリーチャンバが設置され、前記プーリーチャンバの底壁にはプーリー軸が回転できるように設置され、前記プーリー軸の上端にはサブプーリーが固定的に設置され、前記サブプーリーと前記メインプーリーとの間がベルトにより連結される。
【００１１】
前記下がり装置は前記サブプーリーと摩擦により連結される親ねじを含み、前記親ねじの上端が前記右スライド溝の中に伸びており、且つ前記右スライド溝の頂壁と回転できるように連結され、前記右スライド溝の中には右スライドブロックがスライドできるように設置され、前記右スライドブロックと前記親ねじとがネジ山により連結され、前記右スライドブロックの左端面には前記固定板が固定的に設置される。
【発明の効果】
【００１２】
以上により、本発明は構造が簡単で、使用が便利であり、使用するときに缶詰を本装置の指定な位置に置けば自動的に蓋を開けることができ、作業過程は全部自動的に完成し、缶詰の蓋がきつく開けられない状況を避け、同時に、本装置は異なる直径の缶詰に適し、使用範囲を大幅に高め、本装置は体積が小さく、様々な場合に適用する。
【図面の簡単な説明】
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の調節可能な自動蓋開けの全体構造概略図
【図２】図２は図１のＡ―Ａの構造概略図
【図３】図３は図１のＢの構造概略図
【図４】図４は図１のＣの構造概略図
【発明を実施するための形態】
【００１５】
下記に図と実施例を合わせて本発明を更に説明し、本発明の方式は以下の実施例を含み、しかし、以下の実施例に限らない。
【００１６】
図１〜４に示すように、本発明装置の調節可能な自動蓋開けは、支持装置１００を含み、前記支持装置１００は支持ブロック１０を含み、前記支持ブロック１０の中には動力チャンバ１２が設置され、前記動力チャンバ１２の中には動力装置２００が設置され、前記動力装置２００は下モータ４６を含み、前記支持ブロック１０の中には固定装置３００が設置され、前記固定装置３００の中には定位機構３０１と挟み機構３０２とを含み、前記支持ブロック１０の中には右スライド溝２２が設置され、前記右スライド溝２２の中には下がり装置４００が設置され、前記下がり装置４００と前記動力装置２００とが伝動できるように連結され、前記下がり装置４００は固定板２４を含み、前記固定板２４の中には蓋開け装置５００が設置され、前記蓋開け装置５００は回転機構５０１と蓋挟み装置５０２とを含む。
【００１７】
前記固定装置３００は前記定位機構３０１と前記挟み機構３０２とを含み、前記定位機構３０１は前記支持ブロック１０の中に設置され、且つ上方に開口した置き溝２９を含み、前記置き溝２９の底壁の中には上方に開口した下ばねチャンバ５１が設置され、前記下ばねチャンバ５１の中には下定位ロッド３０がスライドできるように設置され、前記下定位ロッド３０の下端面と前記下ばねチャンバ５１の底壁との間が下ばね５０により連結され、前記支持ブロック１０の中には前記置き溝２９の下側に位置している糸巻きチャンバ５５が設置され、前記下定位ロッド３０の下端面には下に前記糸巻きチャンバ５５の中まで伸びている下定位軸４８が回転できるように設置される。
【００１８】
前記挟み機構３０２は前記支持ブロック１０の中に設置され、且つ上方に開口した四組の下スライド溝２０を含み、前記下スライド溝２０が前記動力チャンバ１２と連通しており、前記下スライド溝２０の中にはスライドロッド１８がスライドできるように設置され、前記スライドロッド１８が上に前記支持ブロック１０の上側まで伸びており、前記支持ブロック１０の上側には前記スライドロッド１８に固定的に連結される連結ロッド１９が設置され、前記連結ロッド１９の一端には固定ブロック２１が固定的に設置され、前記スライドロッド１８の下端には引き糸１１が固定的に設置され、前記糸巻きチャンバ５５の底壁にはリール４９が回転できるように設置され、前記リール４９と前記下定位軸４８とがスプラインにより連結され、前記引き糸１１が前記糸巻きチャンバ５５の中に伸びて前記リール４９に巻き付く。
【００１９】
有益的には、前記蓋開け装置５００は前記固定板２４の中に回転できるように設置される回転ブロック３１を含み、前記回転機構５０１は前記支持ブロック１０の左端面に固定的に設置されるモータ固定板２８を含み、前記モータ固定板２８の下端面には上モータ２７が固定的に設置され、前記上モータ２７の下端にはスプラインスリーブ２６が伝動できるように連結され、前記スプラインスリーブ２６の中にはスプライン軸２５がスプラインにより連結され、前記スプライン軸２５の下端と前記回転ブロック３１の上端面とが回転できるように連結され、前記スプライン軸２５の下端面の中には下方に開口した上摩擦穴３３が設置され、前記上摩擦穴３３の頂壁には前記上モータ２７と通電できるように連結されるスイッチ３２が固定的に設置される。
【００２０】
前記蓋挟み装置５０２は前記回転ブロック３１の中に設置される上ばねチャンバ３４を含み、前記上ばねチャンバ３４と前記上摩擦穴３３とが連通しており、前記上ばねチャンバ３４の中には上復帰スライドブロック３６がスライドできるように設置され、前記上復帰スライドブロック３６の中には上定位軸４０が回転できるように設置され、前記上復帰スライドブロック３６の上端面と前記上ばねチャンバ３４の頂壁との間が上ばね３５により固定的に連結され、前記回転ブロック３１の中には傘歯車チャンバ３８が設置され、前記傘歯車チャンバ３８の頂壁には中空回転軸によりメイン傘歯車４１が回転できるように設置され、前記上定位軸４０が前記メイン傘歯車４１を貫通し前記上定位軸４０とスプラインにより連結され、前記上定位軸４０の下端が前記回転ブロック３１の下側まで伸びており、かつ前記上定位軸４０の下端には上定位ブロック３９が回転できるように設置され、前記回転ブロック３１の中には左右に対称的な上スライド溝４４が設置され、前記上スライド溝４４のうち互いに離れている側の内壁には前記傘歯車チャンバ３８の中に伸びているネジ山ロッド４２が回転できるように設置され、前記ネジ山ロッド４２が前記傘歯車チャンバ３８の中に位置しており、前記ネジ山ロッド４２の一端には前記メイン傘歯車４１と噛合しているサブ傘歯車３７が固定的に設置され、前記上スライド溝４４の中には前記ネジ山ロッド４２とネジ山により連結される上スライドブロック４５がスライドできるように設置され、前記上スライドブロック４５の下端面には抱きしめブロック４３が固定的に設置される。
【００２１】
有益的には、前記動力装置２００は前記支持ブロック１０の中に設置される動力チャンバ１２を含み、前記動力チャンバ１２の底壁には前記下モータ４６が固定的に設置され、前記下モータ４６の上端には動力軸５４が伝動できるように連結され、前記動力軸５４にはメインプーリー４７が固定的に設置され、前記動力軸５４の上端には伝動盤５２が固定的に設置され、前記伝動盤５２の中には上方に開口した下摩擦穴５３が設置され、前記支持ブロック１０の中にはプーリーチャンバ１６が設置され、前記プーリーチャンバ１６の底壁にはプーリー軸１５が回転できるように設置され、前記プーリー軸１５の上端にはサブプーリー１４が固定的に設置され、前記サブプーリー１４と前記メインプーリー４７との間がベルト１３により連結される。
【００２２】
前記下がり装置４００は前記サブプーリー１４と摩擦により連結される親ねじ１７を含み、前記親ねじ１７の上端が前記右スライド溝２２の中に伸びており、且つ前記右スライド溝２２の頂壁と回転できるように連結され、前記右スライド溝２２の中には右スライドブロック２３がスライドできるように設置され、前記右スライドブロック２３と前記親ねじ１７とがネジ山により連結され、前記右スライドブロック２３の左端面には前記固定板２４が固定的に設置される。
【００２３】
前記調節可能な自動蓋開けの実現方法は、以下のステップを含む：
【００２４】
使用するときに、開ける必要がある缶詰を置き溝２９の中に置き、下定位ロッド３０を下に押し、下定位軸４８が下がり下摩擦穴５３と摩擦するように連結され、下モータ４６が始動し、動力軸５４により伝動盤５２と、下定位軸４８によりリール４９を回転連動させ、リール４９が引き糸１１によりスライドロッド１８を引き互いに近づかせ、動力軸５４がメインプーリー４７と、ベルト１３によりサブプーリー１４を回転連動させ、それにより親ねじ１７を回転連動させて右スライドブロック２３を下がらせ、右スライドブロック２３が固定板２４により回転ブロック３１を下がらせ、上定位ブロック３９と缶詰蓋とが当接するときに上に運動し、上定位軸４０と上摩擦穴３３とが摩擦するように連結され、上定位軸４０がスイッチ３２を押圧し上モータ２７を始動しスプラインスリーブ２６と、スプライン軸２５と、上定位軸４０によりメイン傘歯車４１を回転連動させ、メイン傘歯車４１がサブ傘歯車３７によりネジ山ロッド４２を回転連動させ、上スライドブロック４５を互いに近づかせることにより抱きしめブロック４３に缶詰蓋をきつく挟ませ、このとき抱きしめブロック４３が運動できなく、それによりスプライン軸２５に回転ブロック３１を回転連動させ、缶詰蓋をねじって開け、このとき下モータ４６が始動して反転し瓶本体を放し、上モータ２７が始動して反転し蓋開け装置５００を復帰させる。
【００２５】
以上により、本発明は構造が簡単で、使用が便利であり、使用するときに缶詰を本装置の指定な位置に置けば自動的に蓋を開けることができ、作業過程は全部自動的に完成し、缶詰の蓋がきつく開けられない状況を避け、同時に、本装置は異なる直径の缶詰に適し、使用範囲を大幅に高め、本装置は体積が小さく、様々な場合に適用する。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。